(57)【要約】【課題】  円筒形の製品がその中心軸に平行な方向に包装用容器の内部空間で移動することを規制することのできる包装用容器を提供する。【解決手段】  包装用容器１０は一枚のシートよりなる。この包装用容器１０は、多角形断面を有する側壁部１１〜１４と、底部１７と、側壁部１１〜１４で囲われた内部空間に設けられ、多角形の一つの角部から他の角部に向けて延びる中仕切り部２４と、側壁部１１〜１４及び中仕切り部２４で囲われた内部空間における底部１７近傍に設けられた容器支持部２５と、を備える。【選択図】図１
2014156263.tif 000002
【特許請求の範囲】
【請求項１】
多角形断面を有する側壁部と、該側壁部の底縁に連なる底部と、該側壁部で囲われた内部空間に設けられ、多角形の一つの角部から他の角部に向けて延びる中仕切り部と、該側壁部及び該中仕切り部で囲われた内部空間における該底部近傍に設けられた容器支持部と、を備え、一枚のシートよりなることを特徴とする包装用容器。
【請求項２】
前記容器支持部が、中仕切り部よりも長い幅を有し、前記内部空間で弧状に撓んでいる請求項１記載の包装用容器。
【請求項３】
前記容器本体が、更に上蓋部を備える請求項１又は２記載の包装用容器。
【請求項４】
前記容器本体が、扁平状に折り畳み可能である請求項１〜３のいずれか１項に記載の包装用容器。
【発明の詳細な説明】
【技術分野】
【０００１】
本発明は、薬品、化粧品等の容器を包装する包装用容器に関する。
【背景技術】
【０００２】
薬品や化粧品は、容器に収納された製品として、紙やプラスチックス等からなる包装用容器に入れて工場から出荷、輸送され、店頭で展示、販売される。包装用容器は、薬品、化粧品等の容器に応じた大きさ及び形状を有している。例えばマスカラやリップスティック等の、円筒形を有する製品を入れる包装用容器は、取り扱いの容易さ等の理由から、多角形断面の、角柱形状を有するものが多い。なかでも、四角形断面の、略直方体の包装容器が多く用いられている。
【０００３】
角柱形状の包装用容器に入れた円筒形の製品は、輸送中や店頭で顧客が手に取ったときに、輸送中の振動や店頭での動作で包装用容器から飛び出ないようにすることが望まれる。包装用容器の横断面における内部空間の近接円の直径を、円筒形の製品の直径と略同じにするような大きさの包装用容器は、円筒形の製品の中心軸方向に直交する方向への自由移動を規制できる。しかし、このような大きさの包装用容器は、当該包装用容器の外面の面積が小さいから、包装用容器の外面に、法律上の表示義務に従って又はＰＬ法に沿って、成分、効能の説明、注意書き、宣伝文句を記載したり着色等の装飾をしたりする面積が小さい。そのため、包装用容器の大きさを、円筒形の製品よりもある程度は大きいままで、当該包装用容器の内部空間で製品が自由に動き回るのを規制することが考えられている。例えば、包装用容器に中仕切り板を設け、この中仕切り板で製品の自由移動を規制することが考えられている。中仕切り板については特許文献１に記載されている。
【先行技術文献】
【特許文献】
【０００４】
【特許文献１】特開２０１０−１４９８９１号公報
【発明の概要】
【発明が解決しようとする課題】
【０００５】
上述した中仕切り板によって、円筒形の製品がその中心軸に直交する方向に包装用容器の内部空間で移動することは規制される。しかし、中仕切り板は、円筒形の製品が、その中心軸に平行な方向に包装用容器の内部空間で移動することを規制することは難しかった。
【０００６】
そこで本発明は、円筒形の製品がその中心軸に平行な方向に包装用容器の内部空間で移動することを規制することのできる包装用容器を提供することを目的とする。
【課題を解決するための手段】
【０００７】
本発明の包装用容器は、多角形断面を有する側壁部と、該側壁部の底縁に連なる底部と、該側壁部で囲われた内部空間に設けられ、多角形の一つの角部から他の角部に向けて延びる中仕切り部と、該側壁部及び該中仕切り部で囲われた内部空間における該底部近傍に設けられた容器支持部と、を備え、一枚のシートよりなることを特徴とする。
【０００８】
本発明の包装用容器は、容器支持部が、中仕切り部よりも長い幅を有し、内部空間で弧状に撓んでいる構成とすることが好ましく、また、容器本体が、更に上蓋部を備える構成や、容器本体が、扁平状に折り畳み可能である構成とすることができる。
【発明の効果】
【０００９】
本発明によれば、中仕切り部に加えて、容器支持部を備えることから、この容器支持部によって内部空間に収納される製品が、その中心軸に平行な方向に移動することを規制することができる。
【図面の簡単な説明】
【００１０】
【図１】本発明の一実施形態の包装用容器の展開図である。
【図２】図１の包装用容器の斜視図である。
【図３】図１の包装用容器の横断面図である。
【図４】図１の包装用容器の変形例を示す横断面図である。
【発明を実施するための形態】
【００１１】
以下、本発明の包装用容器の実施形態を、図面を用いてより具体的に説明する。
図１に展開図で、図２に斜視図でそれぞれ示す本発明の一実施形態の包装用容器１０は、略直方体の外形を有している。この包装用容器１０は、第１側壁部１１、第２側壁部１２、第３側壁部１３及び第４側壁部１４からなる四つの側壁部により囲まれた四角形断面を有している。本実施形態では、第１側壁部１１、第２側壁部１２、第３側壁部１３及び第４側壁部１４が同じ長さの幅Ｗ１を有する、正方形断面を有している。もっとも、本発明の包装用容器は、正方形断面のものに限定されるものではない。
【００１２】
これらの側壁部のうちのいずれか一つの側壁部に上蓋部が設けられる。図示した本実施形態では第２側壁部１２の上縁に接続して、上蓋部１５が設けられている。この上蓋部１５における第２側壁部１２と接続する縁部と反対側の縁部に接続して、舌部１６が設けられている。また、これらの側壁部のうちのいずれか一つの側壁部に、底部が設けられる。図示した本実施形態では第２側壁部１２の下端に接続して、底部としての底蓋部１７が設けられている。この底蓋部１７における第２側壁部１２と接続する縁部と反対側の縁部に接続して、舌部１８が設けられている。
【００１３】
更に、図示した本実施形態では、第２側壁部１２にそれぞれ隣接する第１側壁部１１及び第３側壁部１３の上縁に接続して、それぞれ中蓋部１９、２０が設けられ、また、これら第１側壁部１１及び第３側壁部１３の下縁に接続して、それぞれ中蓋部２１、２２が設けられている。
【００１４】
第３側壁部１３に連なる第４側壁部１４の側縁に接続して、糊代部２３が設けられている。この糊代部２４は、第１側壁部１１〜第４側壁部１４を、折れ線Ｌ１〜Ｌ４に沿って折り曲げて箱型の容器を形成したときに、第１側壁部１１の裏面（容器の内部空間に向かう面を「裏面」という。）に重ね合わせされた状態で接する部分である。糊代部２４の表面及び第１側壁部１１の裏面のいずれか一方又は両方に接着剤を少なくとも部分的に付着させ、糊代部２３の表面と第１側壁部１１の裏面とを重ね合わせて押圧することにより、糊代部２３と第１側壁部１１とが接着される。この糊代部２３の幅Ｗ２は、第１側壁部１１の幅Ｗ１と略同じである。
【００１５】
第４側壁部１４に一方の側縁で接続する糊代部２３における他方の側縁に接続して、中仕切り部２４が設けられている。この中仕切り部２４の幅Ｗ３は、図示した本実施形態では、四角形断面の容器の対角線と略同じ長さを有している。換言すれば、本実施形態の包装用容器１０は、第１側壁部〜第４側壁部が同じ長さの幅Ｗ１を有する正方形断面の形状を有しているから、中仕切り部２４の幅Ｗ３は、Ｗ１の、２の平行根倍の長さに相当する。
【００１６】
中仕切り部２４と糊代部２３との仕切り線ともいえる折れ線Ｌ５は、前述した第１側壁部１１〜第４側壁部１４の側縁に相当する折れ線Ｌ１〜Ｌ４を山折りにした場合には、山折りにする。また、折れ線Ｌ１〜Ｌ４を谷折りにした場合にはＬ５を谷折りにする。これによって、中仕切り部２４は、第１側壁部１１〜第４側壁部１４によって囲われて形成された包装用容器１０の内部空間において、対角線状に位置する。
【００１７】
仕切り部２４の上縁は、図示した例では、製品Ｐ（図２参照）の取り出し易さ等を考慮して、第１側壁部１１〜第４側壁部１４の上縁の高さよりも若干低い位置になるように形成されているが、第１側壁部１１〜第４側壁部１４の上縁と同じ高さであっても構わない。図１に示す本実施形態では、高さの異なる仕切り部２４の上縁と第４側壁部２４の上縁とを接続するように、糊代部２３の上縁が斜めに形成されている。
【００１８】
中仕切り部２４の下縁は、第１側壁部１１〜第４側壁部１４の下縁よりも高い位置に形成されている。そして、この中仕切り部２４の下方に、容器支持部２５が設けられている。この容器支持部２５は、糊代部２３と接続していて、容器支持部２５の下縁が、第１側壁部１１〜第４側壁部１４の下縁と同じ位置にあり、その幅Ｗ４が、中仕切り部２４の幅Ｗ３よりも大きい。容器支持部２５の幅Ｗ４が、中仕切り部２４の幅Ｗ３よりも大きいことにより、容器支持部２５は、図２に破線で示すように、容器の底部近傍に、撓んだ状態で設けられることになる。
【００１９】
本実施形態の包装用容器１０は、図１の展開図からも明らかなように、１枚のシート（ブランク）から構成される。このシートは代表的には紙製であるが、紙製のものに限定されず、プラスチックス製等であってもよい。
【００２０】
図１に示した本実施形態の包装用容器を折れ線Ｌ１〜Ｌ５に沿って山折りした時の横断面を図３に示す。糊代部２３の表面と第１側壁部１１の裏面とが接着剤により接着されることにより、第１側壁部１１〜第４側壁部１４により囲われた四角形断面の内部空間が形成される。この内部空間に、中仕切り部２４は、一方の角部から対角の角部まで、対角線状に位置し、これにより当該内部空間を二分する。また、容器支持部２５は、中仕切り部２４で二分された内部空間のうちの一方で、弧状に位置する。これにより容器支持部２５は、二分された内部空間に装入される円筒形の製品Ｐの底部を支持する。なお、中仕切り部２４によって二分された内部空間のうち、容器支持部２５が位置しない方の内部空間は、取扱説明書等を収める空間として利用することができる。
【００２１】
本実施形態の包装用容器１０は、上記容器支持部２５を備え、この容器支持部２５が包装用容器１０の底部近傍において、中仕切り部２４により仕切られた内部空間に弧状に撓んだ状態で固定されるから、この仕切られた内部空間に装入される製品Ｐがその中心軸に平行な方向に自由移動することが規制される。したがって、製品Ｐが包装用容器１０に装入された後の輸送時や、店頭で顧客が手に取った時に、包装用容器１０から製品Ｐが不用意に飛び出ることを防止できる。
【００２２】
また、本実施形態の包装用容器１０は、上記容器支持部２５を備えることにより、顧客が購入後に包装用容器１０の底蓋部１７から製品Ｐを取り出すことを禁止することができる。一般に、角柱形状の包装用容器であって上蓋部と底蓋部を備えるものについては、上蓋部から製品を取り出せるようにして、底蓋部からは製品を取り出し難い構造にしていることが多い。その理由は、底蓋部からは製品を取り出す場合には、顧客の取り扱いによっては、包装用容器に装入されている製品を取り落とすおそれがあり、製品に疵、破損等が生じる可能性があるためである。この点、本実施形態の包装用容器１０は、上述のとおり上記容器支持部２５を備え、これにより、底蓋部からは製品Ｐを取り出せない構造になっているので、顧客が包装用容器１０に装入されている製品Ｐを取り落とし、製品Ｐに疵、破損等が生じることを抑制することができる。
【００２３】
図４に本実施形態の包装用容器１０の変形例を横断面図で示す。図４に示す例は、図３に示す包装用容器と同様に、糊代部２３の表面と第１側壁部１１の裏面とが接着剤により接着されていることにより、第１側壁部１１〜第４側壁部１４により囲われた四角形断面の内部空間が形成されている。この内部空間に、中仕切り部２４は、一方の角部から対角の角部まで、対角線状に位置し、これにより当該内部空間を二分している。また、図３に示した例との相違点として、容器支持部２５は、糊代部２３と接続する基部から幅方向に延びる間の所定の位置で折り曲げられており、この折り曲げられた地点から先端までの部分ａが、第３側壁部１３の裏面と接している。このことにより、容器支持部２５における弧状になっている部分の内部空間内での位置を調整することができる。また、必要に応じて、容器支持部２５の上記折り曲げられた地点から先端までの部分ａを、第３側壁部１３の裏面と接着し、これにより容器支持部の包装用容器の内面に強固に固定することができる。
【００２４】
図１〜図４に示した本実施形態の包装容器１０は、シートから図１に示した展開図のブランク形状に加工する工程と、図１に示した展開図に従って折り線を形成し又は折り重ねる工程と、糊代部２４と第１側壁部１１とを糊（接着剤）で接着する工程とを含む。これらの工程は、上記の工程順に限定されない。糊代部２４と第１側壁部１１とを糊で接着する工程は、糊代部２４及び第１側壁部１１のいずれか一方又は両方に糊を付着させることを含む。これらの工程は製函機で実施できる。本実施形態の包装用容器は、製函機で製造することが可能であり、よって製函機での自動化により手作業が不要である。
【００２５】
本実施形態の包装用容器１０は、未使用時は平たく扁平状に折り畳まれた状態にすることができ、よって包装用容器１０自体の保管、輸送時にかさばることがない。
【００２６】
以上、本発明の包装用容器の実施形態を図面を用いて説明したが、本発明の包装用容器は、図示した実施形態に限定されず、本発明の趣旨を満たす範囲で幾多の変形が可能であることは言うまでもない。例えば容器本体の断面形状は四角形に限らない。ひし形、三角形その他の多角形とすることができる。また、容器本体は、当該容器本体に収容した容器を見ることができる開口部を有していても良い。更に、図１に展開図で示した包装用容器１０において、Ｌ１〜Ｌ５を谷折りにして包装用容器を組み立てることもできる。
【符号の説明】
【００２７】
１０…包装用容器、１１…第１側壁部、１２…第２側壁部、１３…第３側壁部、１４…第４側壁部、１７…下蓋部（底部）、２４…中仕切り部、２５…容器支持部
【図１】
2014156263.tif 000003
【図２】
2014156263.tif 000004
【図３】
2014156263.tif 000005
【図４】
2014156263.tif 000006